(57)【要約】【課題】異なる複数の通信方式を用いて並行して通信を行う場合におけるＳＡＲを低減する無線通信端末装置及び無線通信端末装置制御方法を提供する。【解決手段】無線制御部１１、１２は、異なる複数の通信方式を用いて並行して複数の通信を行う。送信電力検出部２１３、２２３は、無線制御部１１、１２による各通信方式を用いた通信における送信電力を検出する。送信電力管理部３は、送信電力検出部２１３、２２３が検出した送信電力を基に、各通信による比吸収率の合計を求め、求めた比吸収率の合計が所定の基準値を超える場合、前記複数の通信方式のうちの所定の通信方式を用いた通信の送信電力の低下を決定する。送信電力制御部２１２、２２２は、送信電力管理部３により決定された送信電力でデータの送信を行うように無線制御部１１、１２を制御する。【選択図】図１
2013143574.tif 000002
【特許請求の範囲】
【請求項１】
異なる複数の通信方式を用いて並行して複数の通信を行う無線通信部と、
前記無線通信部による各通信方式を用いた通信における送信電力を検出する送信電力検出部と、
前記送信電力検出部が検出した送信電力を基に、各通信による比吸収率の合計を求め、求めた比吸収率の合計が所定の基準値を超える場合、前記複数の通信方式のうちの所定の通信方式を用いた通信の送信電力を下げるように前記無線通信部を制御する制御部と
を備えたことを特徴とする無線通信端末装置。
【請求項２】
前記制御部は、各通信方式を用いた通信における送信電力と比吸収率との関係を表す相関情報を有しており、前記相関情報を基に、前記送信電力検出部が検出した各通信の送信電力に対応する比吸収率を求め、各通信による比吸収率の合計を求めることを特徴とする請求項１に記載の無線通信端末装置。
【請求項３】
前記制御部は、前記所定の通信方式を用いた通信の送信電力が所定量下がるように、前記無線通信部を制御することを特徴とする請求項１又は２に記載の無線通信端末装置。
【請求項４】
前記制御部は、比吸収率の合計が前記基準値以下になるように、前記所定の通信方式を用いた通信の送信電力に上限値を設けるよう前記無線通信部を制御することを特徴とする請求項１又は２に記載の無線通信端末装置。
【請求項５】
前記制御部は、前記複数の通信方式の予め決められた優先度に応じて各通信方式を用いた通信のそれぞれの送信電力を決定することを特徴とする請求項１〜４のいずれか一つに記載の無線通信端末装置。
【請求項６】
前記制御部は、優先度が最も高い通信方式以外の通信方式を用いた通信の送信電力を下げることを特徴とする請求項５に記載の無線通信端末装置。
【請求項７】
アプリケーションを実行して該アプリケーションが行う通信を前記無線通信部に指示するアプリケーション実行部を更に備え、
前記無線通信部は、前記アプリケーション実行部による指示に従い通信を行い、
前記制御部は、前記アプリケーションの予め決められた優先度に応じて、前記各アプリケーションに対応する通信のそれぞれの送信電力を決定することを特徴とする請求項１〜４のいずれか一つに記載の無線通信端末装置。
【請求項８】
前記制御部は、優先度がもっとも高いアプリケーション以外のアプリケーションに対応する通信の送信電力を下げることを特徴とする請求項７に記載の無線通信端末装置。
【請求項９】
前記制御部は、前記所定の通信に用いる送信電力を下げるように前記無線通信部を制御している状態で、前記送信電力検出部が検出した送信電力を基に、各通信による比吸収率の合計を求め、求めた比吸収率の合計が所定の基準値以内になった場合、前記無線通信部に対する前記所定の通信方式を用いた通信の送信電力を下げる制御を解除することを特徴とする請求項１〜８のいずれか一つに記載の無線通信端末装置。
【請求項１０】
異なる複数の通信方式を用いて並行して複数の通信を行い、
前記各通信における送信電力を検出し、
検出した送信電力を基に、前記各通信による比吸収率の合計を求め、
求めた比吸収率の合計が所定の基準値を上回る場合、各通信による比吸収率の合計を下げるように前記各通信方式を用いた通信の送信電力を決定し、
決定した送信電力を用いて前記複数の通信方式を用いた通信を並行して行う
ことを特徴とする無線通信端末装置制御方法。
【発明の詳細な説明】
【技術分野】
【０００１】
本発明は、無線通信端末装置及び無線通信端末装置制御方法に関する。
【背景技術】
【０００２】
近年、無線通信において様々な通信方式が提案されている。例えば、携帯電話装置において用いられる通信方式としては、ＣＤＭＡ（Code  Division  Multiple  Access）やＬＴＥ（Long  Term  Evolution）などが知られている。以下では、それぞれをＣＤＭＡ方式及びＬＴＥ方式と呼ぶ。その他にも携帯電話装置では、固定無線通信の標準規格（ＷｉＭＡＸ（登録商標）：Worldwide  Interoperability  for  Microwave  Access）や無線ＬＡＮの標準規格（ＷｉＦｉ（登録商標）：Wireless  Fidelity）により規定された通信方式などが用いられる。以下では、それぞれをＷｉＭＡＸ方式及びＷｉＦｉ方式と呼ぶ。このように、様々な通信方式を用いた通信が行える無線通信端末装置の場合、複数の異なる通信方式を用いた通信が並行して行われることが考えられる。
【０００３】
また、無線通信端末装置を用いて通信を行う場合、無線通信端末装置から電磁波が発生することが知られている。無線通信端末から発生する電磁波は人体に影響を及ぼす可能性がある。そこで、無線通信端末装置から出力された電磁波の影響を人体が一定時間にどのくらい受けたかを表す基準として、人体に吸収されるエネルギー量を表すＳＡＲ（Specific  Absorption  Rate：比吸収率）が用いられる。そして現在、人体に許容される電磁波の基準値が設けられている。具体的には、許容される電磁波の基準値として、ＳＡＲが２Ｗ／ｋｇを超えないというＳＡＲの規格が設けられている。
【０００４】
無線通信装置から発生する電磁波への対策として、次のような従来技術が提案されている。例えば、アンテナの角度を調整してＳＡＲの値を下げる従来技術がある。また、音声通話時には指向性アンテナを使用し、待受け時には無指向性アンテナを使用する従来技術がある。また、アンテナと頭部とが近い場合に影響が少ない指向特性のアンテナに切り替える従来技術がある。また、人体との距離に応じて送信電力を変化させる従来技術がある。また、ＳＡＲを算出する従来技術として、測定した観測面上の電界ベクトルから３次元のＳＡＲの分布を算出する従来技術がある。
【先行技術文献】
【特許文献】
【０００５】
【特許文献１】特開２００５−１０２２０５号公報
【特許文献２】特開２００５−２１７８３６号公報
【特許文献３】特開２００５−２８６７４１号公報
【特許文献４】特開２００５−２８６６２７号公報
【特許文献５】特開２００７−１４２８３０号公報
【特許文献６】特開２００８−１３４２１８号公報
【発明の概要】
【発明が解決しようとする課題】
【０００６】
しかしながら、複数の異なる通信方式を用いた通信を並行して行った場合、各通信方式の通信により発生する電磁波それぞれはＳＡＲの規格以内であっても、無線通信端末装置から発生した電磁波の合計により、ＳＡＲの規格に抵触してしまうおそれがある。例えば、ＷＬＡＮやＢｌｏｕｅｔｏｏｔｈ（登録商標）などの近距離無線通信は、送信パワーが弱いため、ＳＡＲへの影響は少ない。これに対して、ＷｉＭＡＸ方式やＬＴＥ方式などを用いたデータ通信は、送信パワーが大きくＳＡＲへの影響が大きい。そこで、ＣＤＭＡ方式を用いて音声通話を行ないながら、ＷｉＭＡＸ方式やＬＴＥ方式などを用いてデータ通信を行った場合、それぞれの通信方式を用いた通信による電磁波の影響により、全体としてＳＡＲの合計を基準値内に収めることが困難である。
【０００７】
また、上述した無線通信装置から発生する電磁波への対策のための従来技術は、いずれも１つの通信方式を用いた通信を行う場合におけるＳＡＲの低減を目的としており、異なる複数の通信方式を用いて並行して複数の通信を行う場合を想定していない。そのため、異なる通信方式を用いて並行して通信を行った場合に、全体としてＳＡＲの合計を基準値内に収めることが困難である。また、３次元のＳＡＲの分布を算出する従来技術を用いても、単に３次元のＳＡＲを求めることができるだけで、異なる通信方式を用いて並行して複数の通信を行った場合、全体としてＳＡＲの合計を基準値内に収めることが困難である。
【０００８】
開示の技術は、上記に鑑みてなされたものであって、異なる複数の通信方式を用いて並行して通信を行う場合におけるＳＡＲを低減する無線通信端末装置及び無線通信端末装置制御方法を提供することを目的とする。
【課題を解決するための手段】
【０００９】
本願の開示する無線通信端末装置及び無線通信端末装置制御方法は、一つの態様において、無線通信部は、異なる複数の通信方式を用いて並行して複数の通信を行う。送信電力検出部は、前記無線通信部による各通信方式を用いた通信における送信電力を検出する。制御部は、前記送信電力検出部が検出した送信電力を基に、各通信による比吸収率の合計を求め、求めた比吸収率の合計が所定の基準値を超える場合、前記複数の通信方式のうちの所定の通信方式を用いた通信の送信電力を下げるように前記無線通信部を制御する。
【発明の効果】
【００１０】
本願の開示する無線通信端末装置及び無線通信端末装置制御方法の一つの態様によれば、異なる複数の通信方式を用いて並行して通信を行う場合におけるＳＡＲを低減することができるという効果を奏する。
【図面の簡単な説明】
【００１１】
【図１】図１は、実施例１に係る携帯電話装置のブロック図である。
【図２】図２は、送信電力管理部が記憶している情報の一例を表す図である。
【図３】図３は、送信電力及びＳＡＲの相関関係を表す図である。
【図４】図４は、ＳＡＲ基準値の設定を説明するための図である。
【図５】図５は、通信方式の優先度の設定を説明するための図である。
【図６】図６は、実施例１に係る携帯電話装置における送信電力の制御のフローチャートである。
【図７】図７は、アプリケーションの優先度の設定を説明するための図である。
【図８】図８は、実施例３に係る携帯電話装置における送信電力の制御のフローチャートである。
【図９】図９は、携帯電話装置のハードウェア構成図である。
【発明を実施するための形態】
【００１２】
以下に、本願の開示する無線通信端末装置及び無線通信端末装置制御方法の実施例を図面に基づいて詳細に説明する。なお、以下の実施例により本願の開示する無線通信端末装置及び無線通信端末装置制御方法が限定されるものではない。特に、以下では、無線通信端末装置として携帯電話装置を例に説明するが、無線通信端末装置はこれに限らず、複数の通信方式を用いて並行して複数の通信を行うものであればよい。
【実施例１】
【００１３】
図１は、実施例１に係る携帯電話装置のブロック図である。図１に示すように、本実施例に係る携帯電話装置は、無線制御部１１、１２、ＣＤＭＡシステム制御部２１、ＷｉＭＡＸシステム制御部２２、送信電力管理部３、アプリケーション実行部４及びユーザインタフェース５を有している。
【００１４】
無線制御部１１は、ベースバンド信号であるデータの入力をモデム部２１１から受ける。そして、無線制御部１１は、受信したデータに対して周波数変換などを行い、無線信号のデータを生成する。また、無線制御部１１は、送信電力の制御を送信電力制御部２１２から受ける。そして、無線制御部１１は、ＣＤＭＡ方式による通信を用いて、無線信号のデータを基地局などの外部装置に向けて、送信電力制御部２１２により制御された送信電力で送信する。以下では、ＣＤＭＡ方式による無線信号を「ＣＤＭＡ信号」と呼ぶ。
【００１５】
また、無線制御部１１は、アンテナを介して基地局からＣＤＭＡ信号を受信する。無線制御部１１は、受信したＣＤＭＡ信号に対してベースバンド帯域への周波数変換を行い、ベースバンド信号を生成する。無線制御部１１は、ベースバンド信号となったＣＤＭＡ信号をモデム部２１１へ出力する。
【００１６】
無線制御部１２は、無線制御部１１とほぼ同様であるので、説明を省略する。ただし、無線制御部１２は、ＷｉＭＡＸ方式を用いてデータの送信を行う。
【００１７】
ＣＤＭＡシステム制御部２１は、モデム部２１１、送信電力制御部２１２、送信電力検出部２１３及びプロトコル制御部２１４を有している。
【００１８】
モデム部２１１は、送信するデータと共にデータ送信の指示をプロトコル制御部２１４から受ける。モデム部２１１は、ベースバンド信号となったＣＤＭＡ信号に対して復調処理及び復号化処理などを施す。そして、モデム部２１１は、復調処理及び復号処理を施したＣＤＭＡ信号をプロトコル制御部２１４へ出力する。
【００１９】
また、モデム部２１１は、基地局などの外部装置に向けて送信するデータのベースバンド信号の入力をプロトコル制御部２１４から受ける。そして、モデム部２１１は、受信したベースバンド信号に対して符号化処理及び変調処理などを施す。その後、モデム部２１１は、符号化処理及び変調処理を施したベースバンド信号を無線制御部１１へ出力する。
【００２０】
送信電力制御部２１２は、データ送信に用いる送信電力の値の入力をプロトコル制御部２１４から受ける。そして、送信電力制御部２１２は、指定された送信電力の値でデータを送信するよう無線制御部１１を制御する。
【００２１】
送信電力検出部２１３は、無線制御部１１がデータ送信に用いた送信電力を検出する。そして、送信電力検出部２１３は、検出した送信電力を送信電力管理部３へ出力する。
【００２２】
プロトコル制御部２１４は、ＣＤＭＡ方式を用いた通信における発呼やハンドオーバの処理を行う。また、プロトコル制御部２１４は、音声データなどのデータの入力をアプリケーション実行部４から受ける。そして、プロトコル制御部２１４は、受信したデータをモデム部２１１へ出力する。さらに、プロトコル制御部２１４は、後述するようにＳＡＲ値の合計がＳＡＲ基準値を超えた場合、送信電力の制御の指示を送信電力管理部３から受ける。本実施例では、プロトコル制御部２１４は、送信電力の低下の指示を送信電力管理部３から受信する。そして、プロトコル制御部２１４は、指示に従い低下させた送信電力の値を送信電力制御部２１２へ出力する。具体的には、本実施例では、プロトコル制御部２１４は、一つ前のデータ送信に用いた送信電力の値から、所定の値を減算して次のデータ送信における送信電力を求め、その求めた送信電力の値を送信電力制御部２１２へ出力する。例えば、所定の値とは、１ｄＢや３ｄＢといった値である。例えば、本実施例では、プロトコル制御部２１４は、１ｄＢずつ送信電力を下げていくものとする。
【００２３】
ＷｉＭＡＸシステム制御部２２は、モデム部２２１、送信電力制御部２２２、送信電力検出部２２３及びプロトコル制御部２２４を有している。ＷｉＭＡＸシステム制御部２２の各部は、通信方式としてＷｉＭＡＸを用いてＣＤＭＡシステム制御部２１の各部と同様の動作を行う。そこで、ＷｉＭＡＸシステム制御部２２の動作については説明を省略する。
【００２４】
送信電力管理部３は、図２に示すような送信電力を算出するための様々な情報を記憶している。図２は、送信電力管理部が記憶している情報の一例を表す図である。送信電力管理部３は、例えば、ＳＡＲ基準値３１、優先度テーブル３２、送信電力及びＳＡＲの相関情報３３及び優先アプリ情報３４を記憶している。ＳＡＲ基準値３１は、携帯電話から発生する電磁波によるＳＡＲ値の上限値である。ＳＡＲ基準値３１は、例えば、２．０Ｗ／ｋｇなどと決められる。優先度テーブル３２は、各通信方式の優先度が決められているテーブルである。優先度テーブル３２は、例えば、ＣＤＭＡ方式を最も高い優先度とし、ＷｉＭＡＸ方式をＣＤＭＡ方式の次の優先度などとするように決められる。送信電力及びＳＡＲの相関情報３３は、例えば、図３に示すような相関関係を表すグラフなどである。図３は、送信電力及びＳＡＲの相関関係を表す図である。図３は、縦軸がＳＡＲ値を表し、横軸が送信電力を表している。図３におけるグラフ６１は、ＣＤＭＡ方式における送信電力及びＳＡＲの相関関係を表している。また、グラフ６２は、ＷｉＭＡＸ方式における送信電力及びＳＡＲの相関関係を表している。図３に示すように、グラフ６１及び６２のいずれにおいても、送信電力の上昇に比例してＳＡＲ値も上昇する。また、ＣＤＭＡ方式の方が、ＷｉＭＡＸ方式よりもＳＡＲ値が大きい。ここで、本実施例では、送信電力及びＳＡＲの相関情報３３として相関関係を表すグラフを用いているが、これはテーブルや関係式など、送信電力からＳＡＲ値が求められるものであれば他のものでも良い。
【００２５】
送信電力管理部３は、ＣＤＭＡ方式の通信の送信電力の値を送信電力検出部２１３から受信する。さらに、送信電力管理部３は、ＷｉＭＡＸ方式の通信の送信電力の値を送信電力検出部２２３から受信する。
【００２６】
そして、送信電力管理部３は、送信電力検出部２１３から受信した送信電力に対応するＳＡＲ値を送信電力及びＳＡＲの相関情報３３から取得する。また、送信電力管理部３は、送信電力検出部２２３から受信した送信電力に対応するＳＡＲ値を送信電力及びＳＡＲの相関情報３３から取得する。さらに、送信電力管理部３は、取得したＳＡＲ値の合計を算出する。そして、送信電力管理部３は、算出したＳＡＲ値の合計がＳＡＲ基準値３１を超えているか否かを判定する。送信電力管理部３は、ＳＡＲ値の合計がＳＡＲ基準値３１を超えている場合、優先度テーブル３２から優先度が最も高い通信方式と、それ以外の通信方式の情報を取得する。そして、送信電力管理部３は、優先度が最も高い通信方式以外の通信方式の通信を行うプロトコル制御部に対して送信電力の低下を指示する。例えば、優先度テーブル３２において、ＣＤＭＡ方式を最も高い優先度とし、ＷｉＭＡＸ方式をＣＤＭＡ方式の次の優先度と決められている場合、送信電力管理部３は、ＷｉＭＡＸ方式の通信を行うプロトコル制御部２２４に対して送信電力の低下を指示する。
【００２７】
ここで、本実施例では図２における優先アプリ情報３４を使用していないが、優先アプリ情報３４を使用する例は他の実施例で説明する。
【００２８】
これに対して、ＳＡＲ値の合計がＳＡＲ基準値３１を超えていない場合には、送信電力管理部３は、送信電力低下の指示をプロトコル制御部に対して行なっているか否かを判定する。送信電力低下の指示を行っていない場合、送信電力管理部３は、そのままＳＡＲの監視を続ける。一方、送信電力低下の指示をプロトコル制御部に対して行っている場合、送信電力管理部３は、送信電力低下の指示を行っているプロトコル制御部に対する送信電力の低下を解除する。その後、送信電力管理部３は、ＳＡＲの監視を継続する。
【００２９】
アプリケーション実行部４は、ユーザインタフェース５からのアプリケーション開始指示などを受けて、各種アプリケーションを実行する。また、アプリケーション実行部４は、アプリケーションで用いられるデータの入力をユーザインタフェース５から受ける。
【００３０】
また、アプリケーション実行部４は、実行しているアプリケーションが外部装置との通信を行う場合、そのアプリケーションが使用する通信方式を用いた通信を行うプロトコル制御部２１４に通信の実行を指示する。例えば、ＷｉＭＡＸを用いてデータの送受信を行うアプリケーションの場合、アプリケーション実行部４は、そのアプリケーションがデータの送信を行う場合には、プロトコル制御部２２４に対してデータの送信を指示する。
【００３１】
さらに、アプリケーション実行部４は、アプリケーションの実行などによる出力データをユーザインタフェース５へ出力する。
【００３２】
ユーザインタフェース５は、液晶画面、キーパッド、マイク及びスピーカなどを有している。携帯電話装置の利用者（以下では、「操作者」という。）は、ユーザインタフェース５を用いてデータの取得及び入力などを行う。例えば、操作者は、液晶画面を参照しながらキーパッドを用いた情報の入力や、マイク及びスピーカを用いた音声通話などを行う。ユーザインタフェース５から入力されたデータは、アプリケーション実行部４へ出力される。また、アプリケーション実行部４が出力したデータは、ユーザインタフェース５により操作者へ提供される。
【００３３】
また、本実施例では、操作者は、ユーザインタフェース５を用いて、送信電力管理部３が記憶するＳＡＲ基準値及び通信方式の優先度の設定を行うことができる。図４は、ＳＡＲ基準値の設定を説明するための図である。また、図５は、通信方式の優先度の設定を説明するための図である。
【００３４】
ＳＡＲ基準値を設定する場合、ユーザインタフェース５は、図４に示す基準値設定画面５１を液晶画面などに表示する。基準値設定画面５１は、ＳＡＲ基準値の設定を行うためのＳＡＲ設定メニューを有している。例えば、ＳＡＲ設定メニューとして、本実施例では、低ＳＡＲ、中ＳＡＲ及び法定内ＳＡＲが選択可能に表示されている。低ＳＡＲとは、本実施例で設定できる最低のＳＡＲ基準値であり、人体への影響を最も軽減する場合の設定である。例えば、本実施例では、低ＳＡＲの場合、ＳＡＲ基準値を１Ｗ／ｋｇとする。また、中ＳＡＲとは、低ＳＡＲの場合よりは高い値であるが、法定の上限値よりかは低い値であるＳＡＲ基準値であり、人体への影響と通信の安定性のバランスを考慮した場合の設定である。例えば、本実施例では、中ＳＡＲの場合、ＳＡＲ基準値を１．５Ｗ／ｋｇとする。法定内ＳＡＲとは、法定の上限値であるＳＡＲ基準値であり、通信の安定性を優先した場合の設定である。例えば、本実施例では、法定内ＳＡＲの場合、ＳＡＲ基準値を２．０Ｗ／ｋｇとする。
【００３５】
操作者は、キーパッドなどを利用して、低ＳＡＲ、中ＳＡＲ及び法定内ＳＡＲのいずれかを選択することで所望のＳＡＲ基準値の設定を入力する。ユーザインタフェース５は、入力されたＳＡＲ基準値を送信電力管理部３へ出力する。これにより、送信電力管理部３が記憶しているＳＡＲ基準値３１が書き換えられ、ＳＡＲ基準値の設定が、操作者が指定したＳＡＲ基準値に変更される。例えば、図４は、操作者により、中ＳＡＲが選択された場合を表している。
【００３６】
ここで、本実施例では、予め決められたＳＡＲ基準値の設定の中から操作者が所望の設定を選択する方法を説明したが、ＳＡＲ基準値の設定方法はこれに限らない。例えば、操作者がＳＡＲ基準値としたい数値を入力するようにしてもよい。また、携帯電話装置の製造元などが作成したＳＡＲ基準値を設定するためのファイルを送信電力管理部３などに保持させておき、そのファイルを送信電力管理部３に読み出させることで、ＳＡＲ基準値を設定してもよい。この場合、携帯電話装置が稼働中でも、例えば、有線通信、無線通信及び記憶デバイス（メモリカードなど）を利用して基準値の設定が容易に行なえるようにしておくことが好ましい。また、ＳＡＲ基準値を固定値として、ＳＡＲ基準値の設定を変更できないようにしてもよい。
【００３７】
通信方式の優先度を設定する場合、ユーザインタフェース５は、図５に示す優先度設定画面５２を液晶画面などに表示する。優先度設定画面５２は、通信方式の優先度の設定を行うための通信方式優先度設定メニューを有している。例えば、通信方式優先度設定メニューとして、本実施例では、ＣＤＭＡ方式及びＷｉＭＡＸ方式の優先度が指定可能に表示されている。図５では、優先度１が最も高い優先度の通信方式を表し、優先度２が２番目の優先度の通信方式を表している。
【００３８】
操作者は、キーパッドなどを利用して、各通信方式の優先度の設定を入力する。ユーザインタフェース５は、入力された各通信方式の優先度を送信電力管理部３へ出力する。これにより、送信電力管理部３が記憶している優先度テーブル３２が書き換えられ、各通信方式の優先度の設定が、操作者が指定した優先度に変更される。例えば、図５は、操作者により、ＣＤＭＡ方式が最も高い優先度に設定され、ＷｉＭＡＸ方式が２番目の優先度に設定された場合を表している。
【００３９】
ここで、本実施例では、操作者がユーザインタフェース５を用いて所望する優先度を設定する方法を説明したが、通信方式の優先度の設定方法はこれに限らない。例えば、携帯電話装置の製造元などが作成した通信方式の優先度を設定するためのファイルを送信電力管理部３などに保持させておき、そのファイルを送信電力管理部３に読み出させることで、通信方式の優先度を設定してもよい。この場合、携帯電話装置が稼働中でも、例えば、有線通信、無線通信及び記憶デバイス（メモリカードなど）を利用して通信方式の優先度の設定が容易に行なえるようにしておくことが好ましい。また、通信方式の優先度を固定して、通信方式の優先度の設定を変更できないようにしてもよい。
【００４０】
次に、図６を参照して、本実施例に係る携帯電話装置における送信電力の制御の流れについて説明する。図６は、実施例１に係る携帯電話装置における送信電力の制御のフローチャートである。ここでは、通信方式としてＣＤＭＡ方式とＷｉＭＡＸ方式を用いており、優先度はＣＤＭＡが高い場合で説明する。
【００４１】
送信電力検出部２１３及び２２３は、それぞれの通信方式における送信電力を取得する（ステップＳ１０１）。そして、送信電力検出部２１３及び２２３は、取得した送信電力を送信電力管理部３へ出力する。
【００４２】
送信電力管理部３は、各通信方式における送信電力の入力を送信電力検出部２１３及び２２３から受ける。そして、送信電力管理部３は、ＳＡＲ及び送信電力の相関関係を基に各送信電力に応じたＳＡＲ値を通信方式毎に求める（ステップＳ１０２）。
【００４３】
次に、送信電力管理部３は、求めたＳＡＲ値の合計値を算出する（ステップＳ１０３）。
【００４４】
次に、送信電力管理部３は、ＳＡＲ値の合計が基準値内にあるか否かを判定する（ステップＳ１０４）。ＳＡＲ値の合計が基準値を超えている場合（ステップＳ１０４：否定）、送信電力管理部３は、優先度テーブルから各通信方式の優先度を取得する（ステップＳ１０５）。
【００４５】
そして、送信電力管理部３は、優先度が最も高い通信方式以外の通信方式の送信電力の低下を、その通信方式に対応する行うプロトコル制御部に指示する（ステップＳ１０６）。ここでは、送信電力管理部３は、ＷｉＭＡＸ方式の送信電力の低下をプロトコル制御部２２４に指示する。これを受けて、プロトコル制御部２２４は、現在の送信電力の値から所定値下げた送信電力を算出し、送信電力制御部２２２に所定値下がった送信電力の値を通知する。送信電力制御部２１２は、所定値下がった送信電力でデータの送信を行うように、無線制御部１１を制御する。
【００４６】
これに対して、ＳＡＲ値の合計が基準値を超えていない場合（ステップＳ１０４：肯定）、送信電力管理部３は、送信電力の低下指示をプロトコル制御部２１４又は２２４に対して行っているか否かを判定する（ステップＳ１０７）。送信電力の低下指示中の場合（ステップＳ１０７：肯定）、送信電力管理部３は、送信電力の低下指示を行っているプロトコル制御部２１４又は２２４に対する送信電力の低下指示を解除する（ステップＳ１０８）。ここでは、送信電力管理部３は、プロトコル制御部２２４に対する送信電力の低下指示を解除する。これに対して、送信電力の低下指示を行っていない場合（ステップＳ１０７：否定）、処理はステップＳ１０９へ進む。
【００４７】
ＣＤＭＡシステム制御部２１及びＷｉＭＡＸシステム制御部２２などの各システム制御部は、通信が終了したか否かを判定する（ステップＳ１０９）。通信が終了した場合（ステップＳ１０９：肯定）、ＣＤＭＡシステム制御部２１及びＷｉＭＡＸシステム制御部２２などの各システム制御部は、送信電力の制御を終了する。これに対して、通信が終了していない場合（ステップＳ１０９：否定）、ＣＤＭＡシステム制御部２１及びＷｉＭＡＸシステム制御部２２などの各システム制御部は、ステップＳ１０１に戻り、送信電力の制御を繰り返す。
【００４８】
ここで、本実施例では、通信方式としてＣＤＭＡ方式とＷｉＭＡＸ方式の２つの通信方式を用いる場合で説明したが、これに限らず、他の通信方式や２以上の通信方式を用いてもよい。例えば、２以上の通信方式を用いる場合、優先度が最も高い通信方式以外の通信方式の全ての送信電力を同じ割合で低下させてもよいし、優先度に合せて、送信電力を低下させる割合を異ならせてもよい。
【００４９】
以上に説明したように、本実施例に係る無線通信端末装置は、無線通信端末装置から発生するＳＡＲ値が基準値を超えた場合に、優先度の低い通信方式の送信電力を低下させる。これにより、複数の通信方式を用いて並行して通信を行っている場合にも、ＳＡＲ値を法定基準値内に抑えることができ、法廷規格を遵守することができる。したがって、異なる複数の通信方式を用いて並行して通信を行う場合における電磁波による人体への影響を低減するができる。また、送信電力を減らすことで、実施している通信全てを途切れなく並行して継続することができ、実施している通信全てを迅速に終了することができる。
【００５０】
また、実施例１ではＳＡＲ値の合計がＳＡＲ基準値以内になった場合に、直ちに送信電力の低下を解除したがこれは他の方法でもよい。例えば、後述する実施例３のように、送信電力管理部３は、ＲＳＳＩの値から送信電力の予想値を求め、その予想値を基にＳＡＲ値の予想値を算出し、そのＳＡＲ値の予想値の合計がＳＡＲ基準値以内の場合に送信電力の低下を解除するとしてもよい。このＳＡＲ値の予想値を用いた制御については、実施例３で詳細に説明する。
【００５１】
また、実施例１では送信電力を徐々に低下させていく場合で説明したが、例えば、送信電力管理部３は、ＳＡＲ値の合計の変化を監視しておき、ＳＡＲ値の合計が急激に変化した場合には、優先度の低い通信方式によるデータの送信を停止する指示をプロトコル制御部に通知するようにしてもよい。この場合、指示を受けたプロトコル制御部は、データの送信を停止する。このようにすることで、急激にＳＡＲ値が上昇した場合に、直ちにＳＡＲ値を基準値内に抑えることができ、迅速に法定規格を遵守することができる。
【実施例２】
【００５２】
次に、実施例２について説明する。本実施例に係る無線通信端末装置は、送信電力を低下させる通信方式を決定する際に用いる優先度を、アプリケーションの優先度としていることが、実施例１と異なるものである。本実施例に係る携帯電話装置の機能ブロックも、図１で表される。実施例２に係る無線通信端末装置において実施例１と同じ符号を有する各部は、特に説明の無い限り同じ機能を有するものとする。以下では、実施例１と異なる部分について説明し、他の説明は省略する。
【００５３】
送信電力管理部３は、送信電力検出部２１３及び送信電力検出部２２３から入力された各通信方式における送信電力からＳＡＲ値の合計を算出する。そして、送信電力管理部３は、ＳＡＲ値の合計がＳＡＲ基準値を超えているか否かを判定する。ＳＡＲ値の合計がＳＡＲ基準値を超えている場合、送信電力管理部３は、優先アプリ情報３４（図２参照）からアプリケーションの優先順位を取得する。例えば、アプリケーションとしては、音声通話用アプリケーション、Ｅメール用アプリケーション及びブラウザなどがある。
【００５４】
そして、送信電力管理部３は、最も優先順位が高いアプリケーション以外のアプリケーションを特定する。さらに、送信電力管理部３は、各プロトコル制御部２１４及び２２４から、それぞれが使用しているアプリケーションの情報を取得する。そして、送信電力管理部３は、特定したアプリケーションを使用しているプロトコル制御部に、送信電力を低下するように指示する。例えば、ＣＤＭＡ方式及びＷｉＭＡＸ方式の通信方式を用いており、且つ最も優先度が高い通信方式以外のアプリケーションがＷｉＭＡＸ方式を用いている場合、送信電力管理部３は、プロトコル制御部２２４に対して送信電力の低下を指示する。この場合、送信電力管理部３からの指示を受けて、プロトコル制御部２２４は低下させた送信電力の値を送信電力制御部２２２に入力する。そして、送信電力制御部２２２は、受信した送信電力の値になるように、無線制御部１２を制御する。ここで、本実施例では、送信電力管理部３は、プロトコル制御部２１４及び２２４からそれぞれが使用しているアプリケーションの情報を取得したが、アプリケーションがどの通信方式を用いているかの情報の取得方法はこれに限らない。例えば、送信電力管理部３は、アプリケーション実行部４から各アプリケーションが使用している通信方式の情報を取得してもよい。また、他の方法としては、送信電力管理部３は、各アプリケーションが使用する通信方式を予め記憶しておいてもよい。
【００５５】
また、ＳＡＲ値の合計がＳＡＲ基準値３１を下回った場合には、送信電力管理部３は、実施例１と同様に、送信電力の低下を指示しているプロトコル制御部２１４又は２２４に対する送信電力低下の指示を解除する。
【００５６】
次に、図７を参照して、ユーザインタフェース５を用いた操作者によるアプリケーションの優先順位の設定について説明する。図７は、アプリケーションの優先度の設定を説明するための図である。
【００５７】
アプリケーションの優先度を設定する場合、ユーザインタフェース５は、図７に示すアプリ優先度設定画面５３を液晶画面などに表示する。アプリ優先度設定画面５３は、アプリケーションの優先度の設定を行うためのアプリケーション優先度設定メニューを有している。例えば、アプリケーション優先度設定メニューとして、本実施例では、音声通話、ブラウザ及びＥメールの各アプリケーションの優先度が指定可能に表示されている。図７では、優先度１が最も高い優先度のアプリケーションを表し、優先度２が２番目の優先度のアプリケーションを表し、優先度３が３番目の優先度のアプリケーションを表している。
【００５８】
操作者は、キーパッドなどを利用して、各アプリケーションの優先度の設定を入力する。ユーザインタフェース５は、入力された各アプリケーションの優先度を送信電力管理部３へ出力する。これにより、送信電力管理部３が記憶している優先アプリ情報３４が書き換えられ、各アプリケーションの優先度の設定が、操作者が指定した優先度に変更される。例えば、図７は、操作者により、音声通話用のアプリケーションが最も高い優先度に設定され、ブラウザが２番目の優先度に設定され、Ｅメール用のアプリケーションが３番目の優先度に設定された場合を表している。
【００５９】
ここで、本実施例では、操作者がユーザインタフェース５を用いて所望するアプリケーションの優先度を設定する方法を説明したが、アプリケーションの優先度の設定方法はこれに限らない。例えば、携帯電話装置の製造元などが作成したアプリケーションの優先度を設定するためのファイルを送信電力管理部３などに保持させておき、そのファイルを送信電力管理部３に読み出させることで、アプリケーションの優先度を設定してもよい。この場合、携帯電話装置が稼働中でも、例えば、有線通信、無線通信及び記憶デバイス（メモリカードなど）を利用してアプリケーションの優先度の設定が容易に行なえるようにしておくことが好ましい。また、アプリケーションの優先度を固定して、アプリケーションの優先度の設定を変更できないようにしてもよい。
【００６０】
以上に説明したように、本実施例に係る無線通信端末装置は、ＳＡＲ値の合計が基準値を超えた場合に、優先度が低いアプリケーションが使用している通信方式の送信電力を低下させる。これにより、操作者が重要と考えるアプリケーションの通信品質を確保しながら、通信品質が劣化しても良いアプリケーションの送信電力を抑えて、ＳＡＲ値を下げることができる。
【００６１】
また、実施例１と実施例２とを組合せ、通信方式の優先度及びアプリケーションの優先度とを組み合わせて送信電力を低下させる通信方式を決定してもよい。例えば、優先度が最も高い通信方式及び優先度が最も高いアプリケーションで用いられている通信方式を除く通信方式の送信電力を下げるとしてもよい。
【実施例３】
【００６２】
次に、実施例３について説明する。本実施例に係る無線通信端末装置は、ＳＡＲ値の合計が基準値を超えた場合に、優先度の低い通信方式の送信電力の上限値を下げることが、実施例１と異なるものである。本実施例に係る携帯電話装置の機能ブロックも、図１で表される。実施例３に係る無線通信端末装置において実施例１と同じ符号を有する各部は、特に説明の無い限り同じ機能を有するものとする。以下では、実施例１と異なる部分について説明し、他の説明は省略する。
【００６３】
送信電力管理部３は、送信電力検出部２１３及び送信電力検出部２２３から入力された各通信方式における送信電力からＳＡＲ値の合計を算出する。そして、送信電力管理部３は、ＳＡＲ値の合計がＳＡＲ基準値を超えているか否かを判定する。ＳＡＲ値の合計がＳＡＲ基準値を超えている場合、送信電力管理部３は、優先順位が最も高い通信方式以外の通信方式を特定する。本実施例では、ＣＤＭＡ方式の優先度が最も高く、ＷｉＭＡＸ方式の通鮮度が２番目である場合で説明する。送信電力管理部３は、ＳＡＲ値の合計とＳＡＲ基準値との差を求め、求めた値を現在の送信電力から減算した値を送信電力の上限値として設定するように、ＷｉＭＡＸ方式を用いているプロトコル制御部２２４に対して指示する。
【００６４】
また、送信電力管理部３は、各通信方式におけるＲＳＳＩ（Receive  Signal  Strength  Indication）の値をプロトコル制御部２１４及び２２４から取得する。そして、送信電力管理部３は、ＲＳＳＩの値から各通信方式に用いられる送信電力の予想値を算出する。送信電力の予想値の算出は、例えば、送信電力管理部３がＲＳＳＩと送信電力との対応関係を記憶しておき、ＲＳＳＩに対応する送信電力を取得してもよい。また、送信電力管理部３が、ＲＳＳＩから送信電力を算出する式を記憶しておき、受信したＲＳＳＩを式に代入して送信電力を求めてもよい。
【００６５】
送信電力管理部３は、各通信方式に用いられる送信電力の予想値から算出したＳＡＲ値の予想値の合計がＳＡＲ基準値以内になった場合、プロトコル制御部２２４への上限値の設定を解除する。ここで、上限値の設定の解除は、上限値をなくしてもよいし、通信をするための送信電力に対して十分に大きな上限値を設定してもよい。
【００６６】
プロトコル制御部２２４は、受信した上限値を送信電力の上限値として設定するよう送信電力制御部２２２に通知する。送信電力制御部２１２は、無線制御部１１の送信電力が指定された上限値に納まるように制御する。
【００６７】
ここで、本実施例では、２つの通信方式の場合で説明したが、通信方式は２つ以上の場合でもよい。例えば、送信電力管理部３は、ＳＡＲ値の合計とＳＡＲ基準値との差を優先度が最も高い通信方式以外の通信方式の数で割った値を求める。そして、送信電力管理部３は、求めた値を現在の送信電力から減算した値を送信電力の上限値として設定するように、各通信方式のプロトコル制御部に指示するなどが考えられる。
【００６８】
次に、図８を参照して、本実施例に係る携帯電話装置における送信電力の制御の流れについて説明する。図８は、実施例３に係る携帯電話装置における送信電力の制御のフローチャートである。ここでは、通信方式としてＣＤＭＡ方式とＷｉＭＡＸ方式を用いており、優先度はＣＤＭＡが高い場合で説明する。
【００６９】
送信電力検出部２１３及び２２３は、それぞれの通信方式における送信電力を取得する（ステップＳ２０１）。そして、送信電力検出部２１３及び２２３は、取得した送信電力を送信電力管理部３へ出力する。
【００７０】
送信電力管理部３は、各通信方式における送信電力の入力を送信電力検出部２１３及び２２３から受ける。そして、送信電力管理部３は、ＳＡＲ及び送信電力の相関関係を基に各送信電力に応じたＳＡＲ値を通信方式毎に求める（ステップＳ２０２）。
【００７１】
次に、送信電力管理部３は、求めたＳＡＲ値の合計値を算出する（ステップＳ２０３）。
【００７２】
次に、送信電力管理部３は、ＳＡＲ値の合計が基準値内にあるか否かを判定する（ステップＳ２０４）。ＳＡＲ値の合計が基準値を超えている場合（ステップＳ２０４：否定）、送信電力管理部３は、優先度テーブルから各通信方式の優先度を取得する（ステップＳ２０５）。
【００７３】
そして、送信電力管理部３は、優先度が最も高い通信方式以外の通信方式の送信電力の上限値を求め、求めた上限値の設定をその通信方式に対応する行うプロトコル制御部に指示する（ステップＳ２０６）。ここでは、送信電力管理部３は、ＷｉＭＡＸ方式の送信電力の上限値の設定をプロトコル制御部２２４に指示する。これを受けて、プロトコル制御部２２４は、送信電力制御部２２２に送信電力の上限値の設定を通知する。送信電力制御部２２３は、上限値以内の送信電力でデータの送信を行うように、無線制御部１２を制御する。
【００７４】
これに対して、ＳＡＲ値の合計が基準値を超えていない場合（ステップＳ２０４：肯定）、送信電力管理部３は、送信電力の上限値の設定の指示をプロトコル制御部に対して行っているか否かを判定する（ステップＳ２０７）。送信電力の上限値の設定の指示を行っている場合（ステップＳ２０７：肯定）、送信電力管理部３は、プロトコル制御部２１４及び２２４からＲＳＳＩ値を取得する。そして送信電力管理部３は、取得したＲＳＳＩ値から各通信方式における送信電力の予想値を算出する（ステップＳ２０８）。さらに、送信電力管理部３は、算出した送信電力の予想値に対応するＳＡＲ値の予想値を求め、求めたＳＡＲ値の予想値の合計を求める（ステップＳ２０９）。そして、送信電力管理部３は、ＳＡＲ値の予想値の合計がＳＡＲ基準値以内か否かを判定する（ステップＳ２１０）。ＳＡＲ値の予想値の合計がＳＡＲ基準値以内の場合（ステップＳ２１０：肯定）、送信電力管理部３は、プロトコル制御部に指示している送信電力の上限値の設定を解除する（ステップＳ２１１）。本実施例では、送信電力管理部３は、プロトコル制御部２２４に対する送信電力の上限値の設定を解除する。
【００７５】
これに対して、ＳＡＲ値の予想値の合計がＳＡＲ基準値より大きい場合（ステップＳ２１０：否定）、及び送信電力の上限値の設定の指示を行っていない場合（ステップＳ２０７：否定）、処理はステップＳ２１２へ進む。
【００７６】
ＣＤＭＡシステム制御部２１及びＷｉＭＡＸシステム制御部２２などの各システム制御部は、通信が終了したか否かを判定する（ステップＳ２１２）。通信が終了した場合（ステップＳ２１２：肯定）、ＣＤＭＡシステム制御部２１及びＷｉＭＡＸシステム制御部２２などの各システム制御部は、送信電力の制御を終了する。これに対して、通信が終了していない場合（ステップＳ２１２：否定）、ＣＤＭＡシステム制御部２１及びＷｉＭＡＸシステム制御部２２などの各システム制御部は、ステップＳ２０１に戻り、送信電力の制御を繰り返す。
【００７７】
以上に説明したように、本実施例に係る無線通信端末装置は、無線通信端末装置から発生するＳＡＲ値が基準値を超えた場合に、優先度の低い通信方式の送信電力をＳＡＲ値の合計が基準値内に収まるように一時に低下させる。これにより、複数の通信方式を用いて並行して通信を行っている状態でＳＡＲ値の合計が基準値を超えた場合、直ちにＳＡＲ値を法定基準値内に抑えることができ、法廷規格を遵守することができる。
【００７８】
さらに、本実施例では、ＳＡＲ基準値を超える分上限値を下げるとしたが、これは他の方法でもよく、例えば、予め決められている単位分だけ上限値を下げてもよい。この場合、送信電力の上限値は緩やかに変化するので、瞬間的な無線劣化などによりＳＡＲ値が瞬間的に上昇した場合などに対応し易くなる。
【００７９】
（ハードウェア構成）
次に、図９を参照して、以上の各実施例において説明した携帯電話のハードウェア構成について説明する。図９は、携帯電話のハードウェア構成図である。
【００８０】
各実施例に係る携帯電話は、ＣＰＵ（Central  Processing  Unit）１００１、ＲＡＭ（Random  Access  Memory）１００２、ＲＯＭ（Read  Only  Memory）１００３、ＷｉＭＡＸ用無線部１００４及びＣＤＭＡ用無線部１００５を有している。さらに、各実施例に係る携帯電話は、ディスプレイ１００６、キー１００７、マイク１００８及びスピーカ１００９を有している。
【００８１】
ＲＡＭ１００２、ＲＯＭ１００３、ＷｉＭＡＸ用無線部１００４、ＣＤＭＡ用無線部１００５、ディスプレイ１００６、キー１００７、マイク１００８及びスピーカ１００９は、それぞれバスを介してＣＰＵ１００１と接続されている。
【００８２】
ＷｉＭＡＸ用無線部１００４は、アンテナを介してＷｉＭＡＸ方式の通信を行う。ＷｉＭＡＸ用無線部１００４は、例えば図１に示した無線制御部１２の機能を実現する。ＣＤＭＡ用無線部１００５は、アンテナを介してＣＤＭＡ方式の通信を行う。ＣＤＭＡ用無線部１００５は、例えば図１に示した無線制御部１１の機能を実現する。
【００８３】
ディスプレイ１００６は、液晶画面などである。また、キー１００７は、キーパッドや他の操作ボタンなどである。そして、ディスプレイ１００６、キー１００７、マイク１００８及びスピーカ１００９は、図１に示したユーザインタフェース５の機能を実現する。
【００８４】
ＣＰＵ１００１、ＲＡＭ１００２及びＲＯＭ１００３は、例えば、図１に示した、ＣＤＭＡシステム制御部２１、ＷｉＭＡＸシステム制御部２２及びアプリケーション実行部４の機能を実現する。
【００８５】
ＲＡＭ１００２は、例えば、ＳＡＲ基準値３１、優先度テーブル３２、送信電力及びＳＡＲの相関情報３３、優先アプリ情報３４、並びに各種アプリケーションなどを記憶する。
【００８６】
ＲＯＭ１００３は、例えば、図１に示したＣＤＭＡシステム制御部２１、ＷｉＭＡＸシステム制御部２２及びアプリケーション実行部４の機能を実現する各種プログラムを記憶している。そして、ＣＰＵ１００１は、これら各種プログラムをＲＯＭ１００３から読み出し、上述した機能を実現するプロセスを生成して実行する。
【符号の説明】
【００８７】
３  送信電力管理部
４  アプリケーション実行部
５  ユーザインタフェース
１１、１２  無線制御部
２１  ＣＤＭＡシステム制御部
２２  ＷｉＭＡＸシステム制御部
２１１、２２１  モデム部
２１２、２２２  送信電力制御部
２１３、２２３  送信電力検出部
２１４、２２４  プロトコル制御部
【図１】
2013143574.tif 000003
【図２】
2013143574.tif 000004
【図３】
2013143574.tif 000005
【図４】
2013143574.tif 000006
【図５】
2013143574.tif 000007
【図６】
2013143574.tif 000008
【図７】
2013143574.tif 000009
【図８】
2013143574.tif 000010
【図９】
2013143574.tif 000011